(57)【要約】【課題】自偏波から異偏波、及び異偏波から自偏波へ漏れ込みが大きい場合でも容易に同期することが可能な手段を提供する。【解決手段】自偏波及び異偏波が非同期状態の時、交差偏波間干渉補償回路（ＸＰＩＣ回路）２７を第１間欠リセット状態とし、その間に自偏波が同期状態に変化したときＸＰＩＣ回路２７をリセット状態とする。該リセット状態において自偏波が再び非同期状態に変化したときは、ＸＰＩＣ回路２７を第２間欠リセット状態とする。該第２間欠リセット状態において自偏波が同期状態に変化したとき、該変化時点から所定時間前記ＸＰＩＣ回路２７をオート状態とし、該所定時間内に異偏波が同期状態に変化したときには、前記ＸＰＩＣ回路２７をオート状態に保持する。この所定時間内に異偏波が同期状態とならないときは、ＸＰＩＣ回路２７を再度リセット状態に切り換える。【選択図】        図１
2004260351.tif 000002
【特許請求の範囲】
【請求項１】
自偏波及び異偏波が非同期状態の時に、交差偏波間干渉補償回路（ＸＰＩＣ回路）を第１間欠リセット状態とし、該第１間欠リセット状態において自偏波が同期状態に変化したとき前記ＸＰＩＣ回路をリセット状態とし、該リセット状態において自偏波が再び非同期状態に変化したときは、前記ＸＰＩＣ回路を第２間欠リセット状態とし、該第２間欠リセット状態において自偏波が同期状態に変化したとき、該変化時点から所定時間前記ＸＰＩＣ回路をオート状態とし、該所定時間内に異偏波が同期状態に変化したときには、前記ＸＰＩＣ回路をオート状態に保持し、前記所定時間内に異偏波が同期状態とならないときは、前記ＸＰＩＣ回路を再度リセット状態に切り換えることを特徴とする交差偏波間干渉補償器回路リセット方法。
【請求項２】
前記ＸＰＩＣ回路がリセット状態において、自偏波が同期状態を保持しているときには、異偏波が同期状態となるまで前記ＸＰＩＣ回路のリセット状態を保持することを特徴とする請求項１に記載の交差偏波間干渉補償器回路リセット方法。
【請求項３】
前記ＸＰＩＣ回路が再度リセット状態に切り換えられた状態において、自偏波が再び非同期状態に変化したときは、前記ＸＰＩＣ回路を前記第１間欠リセット状態とすることを特徴とする請求項１または２に記載の交差偏波間干渉補償器回路リセット方法。
【請求項４】
異偏波のみが同期状態の時には、自偏波が同期状態となるまで前記ＸＰＩＣ回路を第３間欠リセット状態とすることを特徴とする請求項１〜３のいずれかに記載の交差偏波間干渉補償器回路リセット方法。
【請求項５】
前記第１及び第２間欠リセット状態におけるリセット時間は、復調器による同期引き込み時間より長く設定することを特徴とする請求項１〜４のいずれかに記載の交差偏波間干渉補償器回路リセット方法。
【請求項６】
それぞれが、送信されてきた自偏波信号から自偏波ベースバンド信号を復調する復調器と、送信されてきた異偏波信号から異偏波の複製信号を生成する交差偏波間干渉補償回路（ＸＰＩＣ回路）と、前記自偏波ベースバンド信号から前記異偏波の複製信号を減算して交差偏波干渉を除去する加算器と、該加算器の出力から自偏波の同期非同期を判定する判定回路と、自偏波側の前記判定回路及び異偏波側の前記判定回路からの同期非同期判定結果を入力して、前記ＸＰＩＣ回路をオート状態またはリセット状態に切り換え制御するＸＰＩＣリセット信号生成回路とを備えた交差偏波間干渉除去装置において、
前記ＸＰＩＣリセット信号生成回路は、前記自偏波側及び異偏波側の判定結果が何れも同期外れ時には前記ＸＰＩＣ回路を第１間欠リセット状態に制御し、該第１間欠リセット状態において自偏波側の判定結果が同期状態に変化したとき前記ＸＰＩＣ回路をリセット状態に制御し、該リセット状態において自偏波側の判定結果が再び非同期状態に変化したときは、前記ＸＰＩＣ回路を第２間欠リセット状態に制御し、該第２間欠リセット状態において自偏波側の判定結果が同期状態に変化したとき、該変化時点から所定時間前記ＸＰＩＣ回路をオート状態に制御し、該所定時間内に異偏波側の判定結果が同期状態に変化したときには、前記ＸＰＩＣ回路をオート状態に保持し、前記所定時間内に異偏波側の判定結果が同期状態とならないときは、前記ＸＰＩＣ回路を再度リセット状態に切り換え制御することを特徴とする交差偏波間干渉除去装置。
【請求項７】
前記ＸＰＩＣリセット信号生成回路は、自偏波側の判定結果が同期状態に保持されているときには、異偏波側の判定結果が同期状態となるまで前記ＸＰＩＣ回路のリセット状態を保持することを特徴とする請求項６に記載の交差偏波間干渉除去装置。
【請求項８】
前記ＸＰＩＣリセット信号生成回路は、前記ＸＰＩＣ回路を再度リセット状態に切り換え制御した状態において、自偏波側の判定結果が再び非同期状態に変化したときは、前記ＸＰＩＣ回路を前記第１間欠リセット状態に制御することを特徴とする請求項６または７に記載の交差偏波間干渉除去装置。
【請求項９】
前記ＸＰＩＣリセット信号生成回路は、異偏波側の判定結果のみが同期状態の時には、自偏波側の判定結果が同期状態となるまで前記ＸＰＩＣ回路を第３間欠リセット状態に制御することを特徴とする請求項６〜８のいずれかに記載の交差偏波間干渉除去装置。
【請求項１０】
前記第１及び第２間欠リセット状態におけるリセット時間は、前記復調器による同期引き込み時間より長く設定されていることを特徴とする請求項６〜９のいずれかに記載の交差偏波間干渉除去装置。
【発明の詳細な説明】
【０００１】
【発明の属する技術分野】
本発明は、交差偏波伝送方式を用いるデジタルマイクロ波通信方式に関し、特に、交差偏波間の干渉成分を除去する交差偏波間干渉補償器回路に関する。
【０００２】
【従来の技術】
交差偏波伝送方式を用いるデジタルマイクロ波通信方式においては、互いに直交するＶ偏波とＨ偏波が同じ周波数を使用するため、アンテナや空間の偏波面の直交性が不完全な場合、Ｖ偏波からＨ偏波あるいは、Ｈ偏波からＶ偏波への信号の漏れ込みが発生する。この漏れ込みは、交差偏波間干渉と呼ばれ、信号の伝送品質に悪影響を与える。
【０００３】
特に両偏波伝送方式とＱＡＭなどの多値変復調方式を併用している場合は、影響が顕著であるため、交差偏波間干渉補償器（ＸＰＩＣ：Ｃｒｏｓｓ  Ｐｏｌａｒｉｚａｔｉｏｎ  Ｉｎｔｅｒｆｅｒｅｎｃｅ  Ｃａｎｃｅｌｌｅｒ）を用いて、干渉成分除去が行われる。
【０００４】
従来、自偏波及び異偏波（ＸＰＩＣにおいて対象とする偏波を自偏波、またそれと直交するように偏波された電波を異偏波と定義する）が共に同期している時（キャリアが引き込み、信号が正常に復調されている状態）には、このＸＰＩＣ回路をオート状態（ＸＰＩＣ回路が正常に動作している状態）にして干渉成分の除去を行い、同期外れ（キャリアが外れ、信号が正常に復調できない状態）の時にはＸＰＩＣ回路をリセット状態（ＸＰＩＣ回路が停止している状態）にして干渉成分の除去を行わないようにしている（例えば、特許文献１、２等参照）。
【０００５】
図７は、従来の交差偏波間干渉補償器を用いたデジタルマイクロ波通信装置における復調回路の一例を示すブロック図である。図７において、Ｖ偏波、Ｈ偏波それぞれの構成は同一であるため、以下の説明では、Ｖ偏波を自偏波信号、Ｈ偏波を異偏波信号として説明する。
【０００６】
送信されてきた自偏波信号は、端子１に入力され、乗算器５で周波数変換された後、低域ろ波器１１及びＡ／Ｄ変換器１５を通りデジタル信号に変換される。このデジタル信号と数値演算制御発振器（ＮＣＯ：Ｎｕｍｅｒｉｃａｌ  Ｃｏｎｔｒｏｌｌｅｄ  Ｏｓｃｉｌｌａｔｏｒ）２１で生成したキャリア信号とを無限位相器（ＥＰＳ：Ｅｎｄｌｅｓｓ  Ｐｈａｓｅ  Ｓｈｉｆｔｅｒ）２０に入力し周波数変換を行い、ベースバンド信号を復調する。キャリア同期制御器２２は、判定回路３９で生成した誤差信号を基に位相制御信号を生成し、ＮＣＯ２１で発生する二次キャリア信号の周波数制御を行う。無限位相器２０とＮＣＯ２１とキャリア同期制御器２２とによって復調器１９を構成している。
【０００７】
また、端子３に入力された異偏波信号は、乗算器６で周波数変換された後、低域ろ波器１２及びＡ／Ｄ変換器１６を通りデジタル信号に変換される。このデジタル信号は、自偏波側と共通のＮＣＯ２１で生成したキャリア信号と共に無限位相器２８に入力し、周波数変換されてＸＰＩＣ参照信号となる。このＸＰＩＣ参照信号とタップ係数制御回路３０で生成されたＸＰＩＣのタップ係数とがトランスバーサルフィルタ２９の入力となり、異偏波の複製信号が生成される。無限位相器２８とトランスバーサルフィルタ２９とタップ係数制御回路３０とにより交差偏波間干渉補償器（ＸＰＩＣ）２７を構成している。
【０００８】
そして、自偏波ベースバンド信号から異偏波干渉成分の複製信号を加算器３５で減算して取り除くことにより交差偏波干渉を除去する。ＯＲ回路４３は、自偏波の判定回路３９による同期非同期情報と異偏波の判定回路４０による同期非同期情報を入力し、ＸＰＩＣ回路２７の制御を行う。
【０００９】
自偏波及び異偏波が同期している時には、ＯＲ回路４３の出力によりＸＰＩＣ回路２７がオート状態となり、異偏波成分の干渉除去動作が行われる。一方、自偏波、若しくは異偏波の少なくとも一方の同期が外れた場合には、判定回路３９及び判定回路４０の同期非同期情報のＯＲ出力により、ＸＰＩＣ回路２７がリセットされ、異偏波成分の干渉除去動作が停止される。即ち、図８のように自偏波と異偏波が同期している場合以外は、ＸＰＩＣ回路２７はリセットされる。
【００１０】
【特許文献１】
特開平３−１４７４３７号公報
【特許文献２】
特開平１０−３０３８４７号公報
【００１１】
【発明が解決しようとする課題】
図９は、互いに直交する自偏波（例えばＨ偏波）と異偏波（例えばＶ偏波）のＤ／Ｕ比（主波と干渉波のレベル比）とそれに対する各偏波受信信号の同期引き込み範囲を示す図であり、上記従来の方法では、ＸＰＩＣの引き込み特性が図９の点線のようになってしまい、漏れ込み量が多い場合には同期状態に引き込めないという問題がある。これは、同期引き込みされるまではＸＰＩＣ回路２７が常にリセット状態であるので、自偏波及び異偏波が互いに漏れ込んでいる場合、異偏波成分を除去することができず、判定回路３９から同期情報が出力されないためである。
【００１２】
そのため特許文献１、２では、ＸＰＩＣのリセットを間欠的に解除することにより間欠リセット信号を送出し、自偏波が同期状態となった時点で間欠リセットを解除してリセット信号をそのまま送出するように切り換える手段を設けることによって、交差偏波干渉が改善されたときに同期引き込みをし易くし、正常動作状態への早期復帰を図っているが、これらの構成でも以下のような問題がある。
【００１３】
上記特許文献記載の構成により間欠リセット信号が送出されている状態において、自偏波が異偏波に、異偏波が自偏波に漏れ込んでいるときに、自偏波が同期外れから同期に変化した直後、ＸＰＩＣ回路をリセット状態にすると、異偏波成分を除去することができなくなるため、再び同期が外れてしまうことがある。
【００１４】
また、自偏波が同期直後にＸＰＩＣ回路をオート状態に変化させた場合、自偏波は同期状態を保つが、ＸＰＩＣ回路がオート状態であるため、ＸＰＩＣ回路のタップ係数制御回路が動作し、そのためＸＰＩＣのタップ係数（自偏波そのもの）が大きくなってしまう。そのため、ＸＰＩＣ回路をオート状態からリセット状態に変化させた瞬間に、自偏波の成分に影響を及ぼし、自偏波が再び外れてしまう場合がある。
【００１５】
本発明の目的は、上記問題点に鑑み、自偏波から異偏波、及び異偏波から自偏波へ漏れ込みが大きくても安定した同期をとることが可能な交差偏波間干渉補償器回路リセット方法を提供することにある。
【００１６】
【課題を解決するための手段】
本発明の交差偏波間干渉補償器回路リセット方法は、自偏波及び異偏波が非同期状態の時に、交差偏波間干渉補償回路（ＸＰＩＣ回路）を第１間欠リセット状態とし、該第１間欠リセット状態において自偏波が同期状態に変化したとき前記ＸＰＩＣ回路をリセット状態とし、該リセット状態において自偏波が再び非同期状態に変化したときは、前記ＸＰＩＣ回路を第２間欠リセット状態とし、該第２間欠リセット状態において自偏波が同期状態に変化したとき、該変化時点から所定時間前記ＸＰＩＣ回路をオート状態とし、該所定時間内に異偏波が同期状態に変化したときには、前記ＸＰＩＣ回路をオート状態に保持し、前記所定時間内に異偏波が同期状態とならないときは、前記ＸＰＩＣ回路を再度リセット状態に切り換えることを特徴とする。
【００１７】
また、本発明の交差偏波間干渉除去装置は、それぞれが、送信されてきた自偏波信号から自偏波ベースバンド信号を復調する復調器と、送信されてきた異偏波信号から異偏波の複製信号を生成する交差偏波間干渉補償回路（ＸＰＩＣ回路）と、前記自偏波ベースバンド信号から前記異偏波の複製信号を減算して交差偏波干渉を除去する加算器と、該加算器の出力から自偏波の同期非同期を判定する判定回路と、自偏波側の前記判定回路及び異偏波側の前記判定回路からの同期非同期判定結果を入力して、前記ＸＰＩＣ回路をオート状態またはリセット状態に切り換え制御するＸＰＩＣリセット信号生成回路とを備えた交差偏波間干渉除去装置において、前記ＸＰＩＣリセット信号生成回路は、前記自偏波側及び異偏波側の判定結果が何れも同期外れ時には前記ＸＰＩＣ回路を第１間欠リセット状態に制御し、該第１間欠リセット状態において自偏波側の判定結果が同期状態に変化したとき前記ＸＰＩＣ回路をリセット状態に制御し、該リセット状態において自偏波側の判定結果が再び非同期状態に変化したときは、前記ＸＰＩＣ回路を第２間欠リセット状態に制御し、該第２間欠リセット状態において自偏波側の判定結果が同期状態に変化したとき、該変化時点から所定時間前記ＸＰＩＣ回路をオート状態に制御し、該所定時間内に異偏波側の判定結果が同期状態に変化したときには、前記ＸＰＩＣ回路をオート状態に保持し、前記所定時間内に異偏波側の判定結果が同期状態とならないときは、前記ＸＰＩＣ回路を再度リセット状態に切り換え制御することを特徴とする。
【００１８】
本発明では、自偏波及び異偏波が同期外れ時には、ＸＰＩＣ回路を間欠リセット状態とし、さらに、この状態から自偏波が同期外れから同期に変化した直後は、ＸＰＩＣ回路をリセット状態とする場合とオート状態にする場合とを交互に繰り返すことにより、異偏波の引き込みをし易くする。
【００１９】
その結果、ＸＰＩＣの引き込み特性は、従来では図９の点線のようであったが、本発明のリセット方法によって図９の実線のようになり、自偏波、異偏波のお互いの漏れ込みが大きい場合でも引き込むことが可能になる。
【００２０】
【発明の実施の形態】
図１は、本発明の実施形態を示す交差偏波間干渉補償器を用いたデジタルマイクロ波通信装置における復調回路のブロック図である。図１において、ＸＰＩＣを用いた復調回路の構成は、Ｖ偏波、Ｈ偏波それぞれ同一の構成であるので、Ｖ偏波の構成に関して説明する。
【００２１】
送信されてきた自偏波信号は、端子１に入力され、乗算器５で周波数変換された後、低域ろ波器１１及びＡ／Ｄ変換器１５を通りデジタル信号に変換される。このデジタル信号と数値演算制御発振器（ＮＣＯ）２１で生成したキャリア信号とを無限位相器（ＥＰＳ）２０に入力し周波数変換を行い、ベースバンド信号を復調する。
【００２２】
キャリア同期制御器２２は、判定回路３９で生成した誤差信号を基に位相制御信号を生成し、ＮＣＯ２１で発生する二次キャリア信号の周波数制御を行う。また、端子３に入力された異偏波信号は、乗算器６で周波数変換された後、低域ろ波器１２及びＡ／Ｄ変換器１６を通りデジタル信号に変換される。このデジタル信号は、自偏波側と共通のＮＣＯ２１で生成したキャリア信号と共に無限位相器２８に入力し、周波数変換されてＸＰＩＣ参照信号となる。
【００２３】
このＸＰＩＣ参照信号とタップ係数制御回路３０で生成されたＸＰＩＣのタップ係数とがトランスバーサルフィルタ２９の入力となり、異偏波の複製信号が生成される。そして、自偏波ベースバンド信号から異偏波干渉成分の複製信号を加算器３５で減算して取り除くことにより交差偏波干渉を除去する。さらに、ＸＰＩＣリセット信号生成回路３７に自偏波の判定回路３９による同期非同期情報及び異偏波の判定回路４０による同期非同期情報を入力し、ＸＰＩＣ回路２７の制御を行う。
【００２４】
図１に示した回路は準同期検波と呼ばれる復調方式を用いる場合の構成である。次に、図１の復調回路の動作について説明する。Ｖ偏波の復調回路とＨ偏波の復調回路構成及び動作は同じであるので、以下では、主にＶ偏波の復調回路についての動作について説明する。
【００２５】
端子１から入力した自偏波（Ｖ偏波）のＩＦ信号は、ローカル発振器９の出力を用いて乗算器５で周波数変換され、その後、低域ろ波器１１で高調波成分を除去され、さらにＡ／Ｄ変換器１５で量子化されデジタル信号に変換される。このデジタル信号とＮＣＯ２１で生成した二次キャリア信号とをＥＰＳ２０に入力し周波数変換を行い、ベースバンド信号を復調する。キャリア同期制御器２２は、判定回路３９で生成した誤差信号を基に位相制御信号を生成し、ＮＣＯ２１で発生する二次キャリア信号の周波数制御を行う。
【００２６】
また、端子３から入力した異偏波（Ｈ偏波）のＩＦ信号は、自偏波との共通のローカル発振器９の出力を用いて乗算器６で周波数変換され、その後低域ろ波器１２で高調波成分を除去され、Ａ／Ｄ変換器１６で量子化されデジタル信号に変換される。このデジタル信号は、さらに自偏波側と共通のＮＣＯ２１で生成した二次キャリアと共に無限位相器２８に入力し、周波数変換されてＸＰＩＣ参照信号となる。このＸＰＩＣ参照信号とタップ係数制御回路３０で生成されたＸＰＩＣのタップ係数とがトランスバーサルフィルタ２９の入力となり、空間で受けた異偏波からの干渉成分の複製信号が生成される。
【００２７】
そして、自偏波ベースバンド信号から異偏波干渉成分の複製信号を加算器３５で減算して取り除くことにより交差偏波干渉除去を行う。ＸＰＩＣリセット信号生成回路３７は、自偏波の判定回路３９で生成される同期非同期情報及び、異偏波の判定回路４０で生成される同期非同期情報を基に制御信号を生成し、ＸＰＩＣ回路２７を制御する。
【００２８】
図２は、ＸＰＩＣリセット信号生成回路３７の制御フローを示しており、自偏波及び異偏波が同期時には、ＸＰＩＣリセット信号生成回路３７からは、ＸＰＩＣ回路２７をオート状態になるように制御信号が出力される。また、自偏波か異偏波の何れか一方、若しくは、自偏波と異偏波の両方が非同期時（図２の▲１▼〜▲３▼の状態）には、次に記載するように、ＸＰＩＣ回路２７がオート状態、またはリセット状態になるように制御信号が出力される。
【００２９】
図３〜図６は、図２の▲１▼〜▲３▼の状態、即ち自偏波及び異偏波が共に非同期あるいは何れかが非同期の場合におけるＸＰＩＣ回路のリセット方法を示すタイムチャート及びフロー図である。以下、本実施形態のＸＰＩＣ回路の▲１▼〜▲３▼の状態におけるリセット方法について説明する。
【００３０】
▲１▼自偏波及び異偏波が共に非同期の場合
【００３１】
自偏波および異偏波が共に同期が外れている場合は、図３のＡの部分のように間欠リセットをかける。この間欠リセットパルスにおけるリセット時間（Ｔ１）は、復調器の引き込み時間（Ｖ偏波、Ｈ偏波のお互いの漏れ込みがないときに、復調器へ入力が開始された時から同期になるまでの時間）より長くする。
【００３２】
自偏波および異偏波が共に同期が外れている場合に、ＸＰＩＣ回路２７をオート状態で保持せず、間欠リセット状態にするのは、ＸＰＩＣ参照信号とタップ係数制御回路３０で生成されたＸＰＩＣのタップ係数が発散してしまうことにより、自偏波が同期しにくくなることを防ぐためである。逆に、ＸＰＩＣ回路２７をリセット状態で保持しないのは、自偏波に異偏波が漏れ込んでいるときに、ＸＰＩＣ回路２７で異偏波の複製信号を生成し、加算器３５に加えることで干渉波除去を行い、自偏波を引き込み易くするためである。
【００３３】
また、間欠リセットパルスにおけるリセット時間を引き込み時間より長くするのは、次の理由による。
【００３４】
自偏波が異偏波に漏れ込んでいる状態で、異偏波の送信信号が断となったとすると、自偏波の復調回路のＸＰＩＣ回路２７には、自偏波の成分のみが入力される。このとき、ＸＰＩＣ回路２７で複製される信号は、自偏波そのものであるので、この複製信号を加算器３５に加えると、自偏波が除去されてしまい、自偏波が同期状態にならないことがある。
【００３５】
このため、ＸＰＩＣ回路２７のリセット時間（Ｔ１）を復調回路の引き込み時間より長くとることにより、ＸＰＩＣ回路２７で複製される信号が自偏波と同じ信号であっても、ＸＰＩＣ回路２７がリセット中に自偏波の同期がとれるようにするためである。
【００３６】
次に、自偏波が同期外れから同期状態に変化したときには、自偏波が同期状態に変化した直後（異偏波は同期外れのまま）は、図４のフローに従って、同期直後にＸＰＩＣ回路をオート状態に保つ図３のＢの動作と同期直後にＸＰＩＣ回路をリセットする図３のＣの動作を交互に行う。
【００３７】
図３のＢのように自偏波が同期直後、暫くの間、ＸＰＩＣ回路２７をオート状態に保つのは、次の理由による。
【００３８】
自偏波が異偏波に、異偏波が自偏波に漏れ込んでいるときに、自偏波が同期外れから同期に変化した直後、ＸＰＩＣ回路２７をリセット状態にすると、異偏波成分を除去することができなくなるため、再び同期が外れてしまうことがある。そこで、ＸＰＩＣ回路２７をオート状態に保ち、ＸＰＩＣ回路２７がオート状態の間に異偏波が同期をとれるようにする。
【００３９】
オート状態の間に異偏波が同期すれば、ＸＰＩＣ回路２７は、リセット状態になることなくオート状態を保ち続けることができ、自偏波も同期したままとなる。このことによって、自偏波が同期後、直ちにＸＰＩＣ回路をリセットする場合より、漏れ込み量が大きくても引き込むようにすることができる。ＸＰＩＣ回路をオート状態に保つ時間は、ＸＰＩＣの引き込み特性（図９）を測定して決定する。
【００４０】
時間を長くしても、ある時間以上では、特性は、ほとんど改善されないので、最適なオート時間内に引き込まない場合は、ＸＰＩＣ回路２７をリセット状態にする（通常、異偏波が同期外れのときは、自偏波が異偏波に漏れ込んでいる状態で、異偏波が信号断となっており、ＸＰＩＣ回路２７には、自偏波そのものが入力している場合があるので、異偏波が同期外れのままのときは、ＸＰＩＣ回路２７は、リセット状態にする。）。
【００４１】
また図３のＣのように自偏波が同期直後にＸＰＩＣ回路２７をリセット状態にするのは、次の理由による。
【００４２】
自偏波が異偏波に漏れ込んでいる状態で、異偏波が信号断となったとすると、自偏波の復調回路のＸＰＩＣ回路２７には、自偏波の成分のみが入力される。このとき、ＸＰＩＣ回路２７で複製される信号は、自偏波そのものである。先に記載したように、このような場合、ＸＰＩＣ回路２７は間欠リセットとすることにより、リセットの間に引き込むようにしている。
【００４３】
自偏波が同期直後にＸＰＩＣ回路２７をオート状態に変化させても、自偏波は同期状態を保つが、ＸＰＩＣ回路２７がオート状態であるため、ＸＰＩＣ回路２７のタップ係数制御回路３０が動作し、ＸＰＩＣのタップ係数（自偏波そのもの）が大きくなってしまう。そのため、ＸＰＩＣ回路２７をオート状態からリセット状態に変化させた瞬間に、自偏波の成分に影響を及ぼし、自偏波が再び外れてしまう場合がある。そこで、ＸＰＩＣ回路２７のタップ係数が大きくなる前に、ＸＰＩＣ回路２７をリセット状態にする必要がある。
【００４４】
ＢとＣの動作は相反するものであるので、どちらの場合にも対応できるようにするために、自偏波が同期直後のＸＰＩＣ回路２７の状態としては、ＢとＣを交互に繰り返すようにする。
【００４５】
▲２▼自偏波のみが非同期の場合
【００４６】
ＸＰＩＣ回路２７は図５のような間欠リセットをかける。ＸＰＩＣ回路２７をＡＵＴＯ状態にせず、間欠リセットをかけるのは、ＸＰＩＣ参照信号とタップ係数制御回路３０で生成されたＸＰＩＣのタップ係数が発散して、自偏波が同期しにくくなることを防ぐためである。間欠リセットのリセットパルス幅（Ｔ２）は、タップ係数を初期化するためにリセットを行うので、短いパルスでも問題ない。
【００４７】
▲３▼異偏波のみが非同期の場合
【００４８】
ＸＰＩＣ回路２７は、図６のようにリセット状態とする。これは、先に説明したように、異偏波が同期外れのときは、自偏波が異偏波に漏れ込んでいる状態で、異偏波が信号断になっており、ＸＰＩＣ回路２７には、自偏波そのものが入力している場合があるので、ＸＰＩＣ回路２７は、リセット状態にする。
【００４９】
なお、本実施形態の回路は準同期検波と呼ばれる復調方式を用いる場合の構成であるが、本発明はＤＥＭの復調方式によらないので、同期ＤＥＭでも実現可能である。
【００５０】
【発明の効果】
本発明によれば、自偏波から異偏波、及び異偏波から自偏波へ漏れ込みが大きくても同期することが可能になる。
【００５１】
即ち、自偏波同期後、暫くの間は、ＸＰＩＣ回路をオート状態にすることによって、自偏波の同期を保持しつつ異偏波が同期するのを待ち、オート状態の間に異偏波が同期すれば、自偏波の同期が再び外れることはなくなる。その結果として、ＸＰＩＣ回路を自偏波同期後、即リセットする場合に比べて、お互いの偏波の漏れ込みが大きくても同期することができる。
【図面の簡単な説明】
【図１】本発明の実施形態を示す交差偏波間干渉補償器を用いたデジタルマイクロ波通信装置における復調回路のブロック図である。
【図２】本実施形態におけるＸＰＩＣリセット信号生成回路の制御フローを示す図である。
【図３】自偏波及び異偏波が共に非同期の場合におけるＸＰＩＣ回路のリセット方法を示すタイムチャートである。
【図４】自偏波が同期した直後のＸＰＩＣ回路の動作フローを示す図である。
【図５】自偏波のみが非同期の場合におけるＸＰＩＣ回路のリセット方法を示すタイムチャートである。
【図６】異偏波のみが非同期の場合におけるＸＰＩＣ回路のリセット方法を示すタイムチャートである。
【図７】従来の交差偏波間干渉補償器を用いたデジタルマイクロ波通信装置における復調回路の一例を示すブロック図である。
【図８】従来例（図７）におけるＸＰＩＣ回路の制御フローを示す図である。
【図９】ＸＰＩＣの引き込み特性を示す図である。
【符号の説明】
１  Ｖ偏波の自偏波ＩＦ信号入力端子
２  Ｈ偏波の自偏波ＩＦ信号入力端子
３  Ｈ偏波の異偏波ＩＦ信号入力端子
４  Ｖ偏波の異偏波ＩＦ信号入力端子
５−８  乗算器
９，１０  一次キャリア発振器
１１−１４  低域ろ波器
１５−１８  Ａ／Ｄ変換器
１９  復調器
２０  無限位相器（ＥＰＳ：Ｅｎｄｌｅｓｓ  Ｐｈａｓｅ  Ｓｈｉｆｔｅｒ）
２１  数値演算制御発振器（ＮＣＯ：Ｎｕｍｅｒｉｃａｌ  Ｃｏｎｔｒｏｌｌｅｄ  Ｏｓｃｉｌｌａｔｏｒ）
２２  キャリア同期制御器
２３  復調器
２４  無限位相器（ＥＰＳ：Ｅｎｄｌｅｓｓ  Ｐｈａｓｅ  Ｓｈｉｆｔｅｒ）
２５  数値演算制御発振器（ＮＣＯ：Ｎｕｍｅｒｉｃａｌ  Ｃｏｎｔｒｏｌｌｅｄ  Ｏｓｃｉｌｌａｔｏｒ）
２６  キャリア同期制御器
２７  ＸＰＩＣ回路
２８  無限位相器（ＥＰＳ：Ｅｎｄｌｅｓｓ  Ｐｈａｓｅ  Ｓｈｉｆｔｅｒ）
２９  トランスバーサルフィルタ
３０  タップ係数制御回路
３１  ＸＰＩＣ回路
３２  無限位相器（ＥＰＳ：Ｅｎｄｌｅｓｓ  Ｐｈａｓｅ  Ｓｈｉｆｔｅｒ）
３３  トランスバーサルフィルタ
３４  タップ係数制御回路
３５、３６  加算器
３７、３８  ＸＰＩＣ  ＲＥＳＥＴ生成回路
３９、４０  判定回路
４１、４２  復調回路出力端子
４３、４４  ＯＲ回路
【図１】
2004260351.tif 000003
【図２】
2004260351.tif 000004
【図３】
2004260351.tif 000005
【図４】
2004260351.tif 000006
【図５】
2004260351.tif 000007
【図６】
2004260351.tif 000008
【図７】
2004260351.tif 000009
【図８】
2004260351.tif 000010
【図９】
2004260351.tif 000011